(57)【要約】【課題】  ドットゲイン発生により生じる画像特性とを考慮することにより、中間調表現を高精度に再現できるようにした画像形成装置および画像形成方法を提供する。【解決手段】  ページ内濃度補正値テーブル４２ｃからページ内の濃度変化を補正するための補正値濃度（ページ内補正値濃度）を取得するとともに、画像特性補正値テーブル４２ｂからドットゲイン発生により生じる画像特性を補正するための補正値濃度（画像特性補正値濃度）を取得し、この画像特性補正値濃度に対し、ページ内補正値濃度を足し引きし、その結果に基づいてディザパターンテーブル４２ａからディザパターンを選択する。画像変換部４３においては、このディザパターンを用いて画像展開メモリ４１に格納された多値画像に対し２値化処理を行い画像形成メモリ４４に格納する。画像形成部３２は、この画像形成メモリ４４に格納された２値画像に基づいて印刷媒体上に画像を形成する。【選択図】  図１
2007088889.tif 000002
【特許請求の範囲】
【請求項１】
入力多値画像を所定のディザマトリクスを用いて各階調値に対応するディザパターンで表現して印刷する画像形成装置において、
ドットゲイン発生により生じる画像特性を補正する画像特性補正値を保持する画像特性補正値保持手段と、
前記画像特性補正値とに基づいて前記ディザパターンを選択し、該選択したディザパターンを用いて前記入力多値画像を変換する画像変換手段と、
前記画像変換手段で変換された入力多値画像に基づいて印刷媒体上に印刷する画像形成手段と
を具備することを特徴とする画像形成装置。
【請求項２】
ページ内の濃度変化を補正するページ内補正値を保持するページ内濃度補正値保持手段
を更に具備し、
前記画像変換手段は、
前記ページ内補正値と前記画像特性補正値とに基づいて前記ディザパターンを選択して該選択したディザパターンを用いて前記入力多値画像を変換する
ことを特徴とする請求項１記載の画像形成装置。
【請求項３】
前記ページ内濃度補正値保持手段は、
ページ内の分割領域毎に同一の階調値のディザパターンで表現された画像を前記画像形成手段で印刷媒体に印刷し、該印刷媒体の画像を前記画像形成手段の解像度よりも高い解像度の画像読取装置により読み取り、該画像読取装置の読取画像に基づいて前記分割領域毎のページ内濃度補正値を求めて、該ページ内濃度補正値を各分割領域に対応して保持する
ことを特徴とする請求項２記載の画像形成装置。
【請求項４】
前記画像特性補正値保持手段は、
複数の階調値のディザパターンで表現された画像を前記画像形成手段で印刷媒体に印刷し、該印刷媒体の画像を前記画像形成手段の解像度よりも高い解像度の画像読取装置により読み取り、該画像読取装置の読取画像に基づいて各階調値の画像特性補正値を求めて、該画像特性補正値を各ディザパターンに対応して保持する
ことを特徴とする請求項１記載の画像形成装置。
【請求項５】
入力多値画像を所定のディザマトリクスを用いて各階調値に対応するディザパターンで表現して印刷する画像形成方法において、
ページ内の分割領域毎に同一の階調値のディザパターンで表現された画像を画像形成手段で印刷媒体に印刷し、該印刷媒体の画像を前記画像形成手段の解像度よりも高い解像度の画像読取装置により読み取り、該画像読取装置の読取画像に基づいて前記分割領域毎のページ内濃度補正値を求めて、該ページ内濃度補正値を各分割領域に対応してページ内濃度補正値保持手段で保持し、
複数の階調値のディザパターンで表現された画像を前記画像形成手段で印刷媒体に印刷し、該印刷媒体の画像を前記画像形成手段の解像度よりも高い解像度の画像読取装置により読み取り、該画像読取装置の読取画像に基づいて各階調値の画像特性補正値を求めて、該画像特性補正値を各ディザパターンに対応して画像特性補正値保持手段で保持し、
前記ページ内補正値と前記画像特性補正値とに基づいて前記ディザパターンを選択し、該ディザパターンを用いて前記入力多値画像を画像変換手段で変換し、
前記画像変換手段で変換された前記入力多値画像に基づいて印刷媒体上に画像形成手段で印刷する
ことを特徴とする画像形成方法。
【発明の詳細な説明】
【技術分野】
【０００１】
本発明は、入力多値画像を所定のディザマトリクスを用いて各階調値に対応するディザパターンで表現して印刷する画像形成装置および画像形成方法に係わり、詳しくは、ページ内の濃度変化と、ドットゲイン発生により生じる画像特性とを考慮してディザパターンを選択するようにした画像形成装置および画像形成方法に関する。
【背景技術】
【０００２】
一般に、２値出力を基本とする電子写真プリンタで多階調を表現するためには所定のディザマトリクスを用いたディザ法が用いられている。ここで正確な階調表現を行うためには最適なディザパターンを選択する必要がある。
【０００３】
ところで、電子写真プリンタでは、トナーの付着および定着過程で理想ドット領域からトナーがはみ出すいわゆるドットゲインが発生することが知られている。このドットゲイン特性により印刷画像の黒面積率が理論値より高くなって濃く印刷されてしまう場合がある。
【０００４】
ドットゲイン特性は、プリンタのエンジンによって異なり、また、あるドットゲインはディザパターンの影響を受けるので、理論的には同じ黒ドット数であっても使用するディザパターンに応じて異なる濃度で印刷されてしまう。
【０００５】
このため、電子写真プリンタで正確な階調表現を行うためには、プリンタのエンジン毎のドットゲイン特性を正確に把握する必要がある。
【０００６】
従来、このドットゲインを考慮したプリンタに関する技術として、例えば、特許文献１に記載されたものが知られている。
【０００７】
この特許文献１に記載された装置は、オンビットの網点数（黒く塗りつぶされる画像数）は等しいが、それらの隣接する配列が異なるディザパターンを複数備え、配列変化により生じるディザパターン毎の濃度変化を把握しておくことで、多値画像の２値化処理に際して、最適なディザパターンを選択することができるというものである。
【特許文献１】特開平０８−１３０６４１号
【発明の開示】
【発明が解決しようとする課題】
【０００８】
しかし、この特許文献１に開示された技術では、隣接相互作用の濃度変化を把握し、それを利用することでより多くの階調表現を実現することができるが、これは、レーザ光による静電潜像の隣接相互作用レベルでの改善であるため、現像（トナーの電荷）、定着部（ニップ幅）などのプロセスにより発生するドットゲインについては考慮されていなかった。
【０００９】
また、同一オンビット数のディザパターンの配列変化は、孤立画像（オンビットの突出）の発生や、配列方法の影響で画像ムラ（ディザパターンが絵のように浮かび出すムラ）が発生することになり、画像の劣化が生じ、中間階調画像の濃淡を高精度に再現することはできなかった。
【００１０】
そこで、本発明は上記問題点に鑑みてなされたものであり、ドットゲイン発生により生じる画像特性を考慮することにより、中間調表現を高精度に再現できるようにした画像形成装置および画像形成方法を提供することを目的とする。
【課題を解決するための手段】
【００１１】
上記目的を達成するため、請求項１の発明は、入力多値画像を所定のディザマトリクスを用いて各階調値に対応するディザパターンで表現して印刷する画像形成装置において、ドットゲイン発生により生じる画像特性を補正する画像特性補正値を保持する画像特性補正値保持手段と、前記画像特性補正値とに基づいて前記ディザパターンを選択し、該選択したディザパターンを用いて前記入力多値画像を変換する画像変換手段と、前記画像変換手段で変換された入力多値画像に基づいて印刷媒体上に印刷する画像形成手段とを具備することを特徴とする。
【００１２】
また、請求項２の発明は、請求項１の発明において、ページ内の濃度変化を補正するページ内補正値を保持するページ内濃度補正値保持手段を更に具備し、前記画像変換手段は、前記ページ内補正値と前記画像特性補正値とに基づいて前記ディザパターンを選択して該選択したディザパターンを用いて前記入力多値画像を変換することを特徴とする。
【００１３】
また、請求項３の発明は、請求項２の発明において、前記ページ内濃度補正値保持手段は、ページ内の分割領域毎に同一の階調値のディザパターンで表現された画像を前記画像形成手段で印刷媒体に印刷し、該印刷媒体の画像を前記画像形成手段の解像度よりも高い解像度の画像読取装置により読み取り、該画像読取装置の読取画像に基づいて前記分割領域毎のページ内濃度補正値を求めて、該ページ内濃度補正値を各分割領域に対応して保持することを特徴とする。
【００１４】
また、請求項４の発明は、請求項１の発明において、前記画像特性補正値保持手段は、複数の階調値のディザパターンで表現された画像を前記画像形成手段で印刷媒体に印刷し、該印刷媒体の画像を前記画像形成手段の解像度よりも高い解像度の画像読取装置により読み取り、該画像読取装置の読取画像に基づいて各階調値の画像特性補正値を求めて、該画像特性補正値を各ディザパターンに対応して保持することを特徴とする。
【００１５】
また、請求項５の発明は、入力多値画像を所定のディザマトリクスを用いて各階調値に対応するディザパターンで表現して印刷する画像形成方法において、ページ内の分割領域毎に同一の階調値のディザパターンで表現された画像を画像形成手段で印刷媒体に印刷し、該印刷媒体の画像を前記画像形成手段の解像度よりも高い解像度の画像読取装置により読み取り、該画像読取装置の読取画像に基づいて前記分割領域毎のページ内濃度補正値を求めて、該ページ内濃度補正値を各分割領域に対応してページ内濃度補正値保持手段で保持し、複数の階調値のディザパターンで表現された画像を前記画像形成手段で印刷媒体に印刷し、該印刷媒体の画像を前記画像形成手段の解像度よりも高い解像度の画像読取装置により読み取り、該画像読取装置の読取画像に基づいて各階調値の画像特性補正値を求めて、該画像特性補正値を各ディザパターンに対応して画像特性補正値保持手段で保持し、前記ページ内補正値と前記画像特性補正値とに基づいて前記ディザパターンを選択し、該ディザパターンを用いて前記入力多値画像を画像変換手段で変換し、前記画像変換手段で変換された前記入力多値画像に基づいて印刷媒体上に画像形成手段で印刷することを特徴とする。
【発明の効果】
【００１６】
本発明によれば、ドットゲイン発生により生じる画像特性を補正する画像特性補正値を保持し、該画像特性補正値とに基づいてディザパターンを選択し、該選択したディザパターンを用いて入力多値画像を変換し、該変換された入力多値画像に基づいて印刷媒体上に印刷するように構成したため、ドットゲイン発生により生じる画像特性を考慮したディザパターンを選択して印刷を行うことができるので、中間調表現を高精度に再現できる。
【００１７】
また、画像特性補正値とともに、ページ内の濃度変化を補正するページ内補正値を保持し、該画像特性補正値とページ内補正値とに基づいてディザパターンを選択するように構成することで、ドットゲイン発生により生じる画像特性とページ内の濃度変化を考慮したディザパターンを選択して印刷を行うことができるので、中間調表現を更に高精度に再現できる。
【００１８】
また、画像形成装置において、所定のディザパターンを用いて印刷された印刷媒体を該画像形成装置の解像度よりも高い解像度で読み取った読取画像に基づいて前述のページ内補正値および画像特性補正値を求めるように構成したため、実測値を用いた補正になり、補正を的確に行うことができる。
【発明を実施するための最良の形態】
【００１９】
以下、この発明に係わる画像形成装置および画像形成方法の実施形態について添付図面を参照して詳細に説明する。
【実施例１】
【００２０】
図１は、本発明に係わる画像形成装置を配して構成した画像形成システムの一実施例を示すブロック図である。
【００２１】
この画像形成システムは、電子写真式プリンタなどで構成される画像形成装置３０の他、画像形成装置３０の解像度よりも高い解像度による画像の読み取りが可能な高解像度スキャナ１０と、この高解像度スキャナ１０と画像形成装置３０とを繋ぐコンピュータ２０とを具備して構成される。
【００２２】
高解像度スキャナ１０では、画像形成装置３０により印刷された評価対象印刷画像（ドットゲイン評価画像、ページ内画像特性評価画像）を画像形成装置３０の解像度よりも高い解像度で読み取り、この読み取った読取画像をコンピュータ２０に出力する。読取画像が入力されたコンピュータ２０では、かかる読取画像に基づき画像形成装置３０の画像特性を評価することになる。
【００２３】
すなわち、２値出力を基本とする電子写真プリンタで多階調を表現するためには所定のディザパターンを用いたディザ法が用いられているが、電子写真プリンタでは、トナーの付着および定着過程で理想ドット領域からトナーがはみ出すいわゆるドットゲインが発生することが知られており、この電子写真プリンタで正確な階調表現を行うためには、プリンタのエンジン毎のドットゲイン特性を正確に把握し、各ディザパターンに対応する詳細なドットゲイン発生状況を正確に把握する必要がある。
【００２４】
また、電子写真プリンタで正確な階調表現を行うためには、プリンタのエンジン毎の濃度安定性により生じるページ内の濃度変化を把握する必要もある。これは、ディザパターンの配列変化により生じる画像ムラの発生を抑制するためである。
【００２５】
そこで、この画像形成システムにおいては、所定のディザパターンを用いて画像形成装置３０で印刷された印刷画像を該画像形成装置３０の解像度よりも高い高解像度スキャナ１０で読み取り、この読取画像に基づき印刷画像のドットゲイン発生状況と、ページ内の濃度変化とを評価する。
【００２６】
このような構成によると、例えば、解像度が６００ｄｐｉの電子写真プリンタで印刷された印刷画像を３２００ｄｐｉの高解像度のフラット・ベッド・スキャナで読み取ると、印刷画像の１ドットを約２８画素（５．３×５．３画素）に拡大した画像が得られ、この読取画像を用いることにより印刷画像のドットゲイン発生状況や、ページ内の濃度変化を評価することが可能になる。
【００２７】
このため、高解像度スキャナ１０においては、画像形成装置３０により印刷されたドットゲイン評価パターンと、ページ内画像特性評価パターンの２種類の印刷物の読み取りを行うことになる。
【００２８】
ドットゲイン評価パターンは、例えば、図２に示すレイアウトとなり、用紙の中央にドットゲイン評価画像が配置される。これは、用紙の中央に配置することにより、ページ内の濃度変化の影響を受け難くするためである。
【００２９】
ところで、本実施例における画像形成装置３０では、図５に示す８×８ドットのディザマトリクスを用いて２値化処理を行うため、６４段階の濃度表現ができるように構成される。
【００３０】
そのため、ドットゲイン評価画像においては、６４階調分のドットゲイン発生状況を確認できる必要があるので、このドットゲイン評価画像には、それぞれ異なる階調値で印刷された基本ブロック５０が８×８個並べられる。この基本ブロック５０は、図３に示すように２４×２４ドットで構成され、８×８ドットの計測ブロックの周囲に計測ブロックと同一のディザパターンを用いて印刷された８×８ドットの繰り返しブロックが設けられる。
【００３１】
そして、この中央に位置する計測ブロックを、ドットゲインの評価を行うための測定ポイントとする。これは、ドットゲインは周辺ブロックの影響を受けるので、この影響を付加するためである。
【００３２】
また、このドットゲイン評価画像６０の四隅の周辺には、計測ブロックの位置を特定するための十字型の基準点マーカが描かれ、この基準点マーカの間には、計測ブロックの画像を画素単位（ドット単位）で分割する分割マーカが描かれている。すなわち、コンピュータ２０においては、ドットゲイン評価画像６０がスキャナ１０から入力されると、この基準点マーカと、分割マーカとに基づいて計測ブロックをの位置を特定する。
【００３３】
一方、ページ内画像特性評価パターンは、例えば、図４に示すように、印刷画像の最大印刷範囲が９分割（主走査、副走査方向ともに３分割）され、左上の分割領域を原点として分割領域毎にアドレス（ページ内アドレス）が定義される。また、各分割領域の中央には、同一ディザパターンを用いて印刷された特定の階調値（中間調）の画像（ページ内画像特性評価画像）が配置される。
【００３４】
なお、分割領域は９分割に限られず、画像形成装置３０の濃度安定性に応じてページ内の分割領域数を設定することができる。これは、画像形成装置３０の動作設定を変更することにより調整できる。
【００３５】
また、図２で説明したドットゲイン評価画像６０を各分割領域に配置し、各階調毎に生じるドットゲインの影響と、ページ内の濃度変化とを同時に把握可能な評価パターンを用いて本発明を実施してもよい。
【００３６】
コンピュータ２０においては、高解像度スキャナ１０から入力されるこのドットゲイン評価パターンと、ページ内画像特性評価パターンとに基づいて画像形成装置３０の画像特性を評価し、画像形成装置３０内のディザ変換部３１に設けられたルックアップテーブル４２内の、画像特性補正値テーブル４２ｂおよびページ内濃度補正値テーブル４２ｃに、この画像特性に応じた補正値を設定する。なお、ルックアップテーブル４２は、電源を切ってもその記録内容を保持できる不揮発性メモリなどに保持されるため、基本的にこの補正値の設定は、工場出荷時などに１度行われればよいが、画像形成部３２の劣化などに応じて適宜調整することもできる。
【００３７】
ここで、画像形成装置３０は、各種処理機能部として、画像特性に基づいたディザパターンを選択し多値画像の変換を行うディザ変換部３１と、ディザ変換部３１において補正ならびに２値化処理された画像データに基づいて露光、現像、定着プロセスを経て印刷媒体上に画像を形成する画像形成部３２とを具備して構成される。
【００３８】
また、ディザ変換部３１の内部には、画像展開メモリ４１と、ルックアップテーブル４２と、画像変換部４３と、画像形成メモリ４４とが備えられる。
【００３９】
画像展開メモリ４１は、多値画像で表現された画像データを格納する機能を有し、画像変換部４３は、ルックアップテーブル４２からの補正値に基づいたディザパターンを選択し、この多値画像を２値画像に変換する。画像形成メモリ４４は、この変換された２値画像を格納する機能を有する。
【００４０】
ここで、ルックアップテーブル４２は、ディザパターンテーブル４２ａと、画像特性補正値テーブル４２ｂと、ページ内濃度補正値テーブル４２ｃとを具備して構成される。
【００４１】
図６に示すように、ディザパターンテーブル４２ａは、６４階調を表現するディザマトリクス（図５参照）のパターンを１または複数保持し、画像特性補正値テーブル４２ｂは、ディザパターンテーブル４２ａで保持されたディザパターンに対応する理論値濃度と、画像特性補正値濃度とを保持する。
【００４２】
また、ページ内濃度補正値テーブル４２ｃは、ページ内の濃度変化を画像特性として保持するテーブルであり、具体的には、図７に示すようにページ内のアドレスと、その補正値濃度（ページ内補正値濃度）とを保持する。
【００４３】
ここで、このルックアップテーブル４２を用いた画像変換部４３における画像処理の概要を説明すると、図６に示すディザパターンテーブル４２ｂから、多値画像（８×８ドットのスクリーン）の階調値に応じたディザパターン「３５」を選択したとする。しかし、このディザパターン「３５」に対応する理論値濃度が「０．５３１〜０．５４７」であるが、このディザパターン「３５」を用いた場合、実際には、画像特性補正値濃度に示されるように「０．７３２〜０．７８５」の濃度になってしまう。そのため、理論値濃度と値が近い画像特性補正値濃度「０．５２０〜０．５８６」が設定されるディザパターン「２４」をディザパターンとして選択することになる。
【００４４】
また、この多値画像（８×８ドットのスクリーン）の位置、すなわちページ内アドレスが例えば、「１２」である場合には、図７に示すページ内濃度補正値テーブル４２ｃからページ内補正値濃度「０．００２」を取得し、これを上述した画像特性補正値テーブル４２ｂの画像特性補正値濃度に付加して、その結果に基づきディザパターンテーブル４２ａから最適なディザパターンを選択することになる。
【００４５】
図８は、図１に示したディザ変換部４３における画像処理の動作を説明するフローチャートである。
【００４６】
この処理が開始されると、まず、画像変換部４３において、画像展開メモリ４１から多値画像（８×８ドットのスクリーン）とともに、その位置情報（ページ内アドレス）を取得する（ステップＳ１０１）。次に、画像変換部４３では、この取得したページ内アドレスに基づいてページ内濃度補正値テーブル４２ｃからページ内補正値濃度を取得する（ステップＳ１０２）。
【００４７】
このページ内補正値濃度の取得が行われると、画像変換部４３は、画像特性補正値テーブル４２ｂから多値画像の階調値に応じたディザパターンに対応する理論値濃度を特定し（ステップＳ１０３）、その特定した理論値濃度と同等の画像特性補正値濃度を取得する（ステップＳ１０４）。
【００４８】
このようにして画像特性補正値テーブル４２ｂから画像特性補正値濃度を取得した画像変換部４３は、この画像特性補正値濃度に対し、上記ステップＳ１０２で取得したページ内補正値濃度を足し引きし、その結果に基づいてディザパターンテーブル４２ａからディザパターンを選択する（ステップＳ１０５）。
【００４９】
そして、この選択したディザパターンを用いて多値画像の２値化処理を行って画像形成メモリ４４に格納し（ステップＳ１０６）、この処理を終了する。
【００５０】
以上説明したように本発明においては、画像形成装置３０により印刷された評価対象印刷画像（ドットゲイン評価画像、ページ内画像特性評価画像）を画像形成装置３０の解像度よりも高い解像度で読み取り、この読み取った読取画像に基づいて補正値が設定された画像特性補正値テーブル４２ｂおよびページ内濃度補正値テーブル４２ｃを用いて多値画像に対する２値化処理を行うように構成したため、ページ内の濃度変化と、ドットゲイン発生により生じる画像特性とを考慮したディザパターンを選択して印刷を行うことができるので、中間調表現を高精度に再現できる。
【００５１】
また、画像形成装置３０により印刷された評価対象画像に基づいて補正値を設定するように構成したため、実測値を用いた補正になり、補正を的確に行うことができる。
【００５２】
次に、上述した実施例の変形例について図９を参照しながら説明する。同図には、上記図１で説明した画像形成システムが示される。なお、上記図１と同一の符号が付してあるものは、略同様に動作する。
【００５３】
同図に示すように、画像形成装置３０にキャリブレーション機能部３３を設け、特定の操作が行われると、この機能部によりキャリブレーションモードを設定し、画像形成装置３０自身でルックアップテーブル４２の補正を行う。
【００５４】
このキャリブレーションモードが設定されると、ディザパターンテーブル４２ａからディザパターンを読み出し、評価対象印刷画像（ドットゲイン評価画像、ページ内画像特性評価画像）を画像形成メモリ４４に格納するとともに、これを画像形成部３２で印刷する。すなわち、ドットゲイン評価パターンおよびページ内画像特性評価パターンが印刷される。
【００５５】
その後、キャリブレーション機能部３３は、高解像度スキャナ１０からの読み取りを要求するモードへ移行する。そして、高解像度スキャナ１０において、ドットゲイン評価パターンと、ページ内画像特性評価パターンの読み取りが行われると、その読取画像が画像形成装置３０へ入力される。
【００５６】
画像形成装置３０では、この読取画像に基づき画像特性の補正値をルックアップテーブル４２へ設定し、このモードを終了する。これにより、上記実施例１と同様の効果が得られるとともに、また、コンピュータ２０を介さずに画像特性を取得することが可能になる。
【００５７】
なお、上記実施例においては、６４階調を表現するディザマトリクスを用いて本発明を実施する場合について説明したが、これはあくまで一例であり、それ以上あるいはそれ以下の階調を表現するディザマトリクスを用いて本発明を実施してもよい。
【００５８】
また、上記実施例においては、白黒（２値）の印刷が可能な画像形成装置３０に本発明を適用する場合を説明したが、これはあくまで一例であり、多値（グレイレベル）の印刷が可能な画像形成装置３０に本発明を適用し実施するようにしてもよい。
【００５９】
また、コンピュータ２０から画像形成装置３０へは補正値以外に、黒面積率の最大値、平均値、最小値、標準偏差、ドット形状等も評価値として入力するように構成してもよい。
【００６０】
また、上記実施例においては、モノクロ画像を対象にしたが、カラー画像に対して各色毎に同様の処理を行うことで本発明を適用することができる。
【産業上の利用可能性】
【００６１】
本発明の画像形成装置および画像形成方法は、入力多値画像を所定のディザマトリクスを用いて各階調値に対応するディザパターンで表現して印刷する画像形成装置全般に適用可能であり、特に、ページ内の濃度変化と、ドットゲイン発生により生じる画像特性とを考慮してディザパターンを選択することにより、中間調表現を高精度に再現できる。
【図面の簡単な説明】
【００６２】
【図１】本発明に係わる画像形成装置を配して構成した画像形成システムの一実施例を示すブロック図である。
【図２】ドットゲイン評価パターンの一例を示す図である。
【図３】図２に示した基本ブロック５０の一例を示す図である。
【図４】ページ内画像特性評価パターンの一例を示す図である。
【図５】図１に示した画像形成装置３０で使用するディザパターンの一例を示す図である。
【図６】ディザパターンテーブル４２ａおよび画像特性補正値テーブル４２ｂのテーブルレイアウトの一例を示す図である。
【図７】ページ内濃度補正値テーブル４２ｃのテーブルレイアウトの一例を示す図である。
【図８】図１に示したディザ変換部４３における画像処理の動作を説明するフローチャートである。
【図９】図１に示す画像形成システムの変形例を示すブロック図である。
【符号の説明】
【００６３】
１０    高解像度スキャナ
２０    コンピュータ
３０    画像形成装置
３１    ディザ変換部
３２    画像形成部
３３    キャリブレーション
４１    画像展開メモリ
４２    ルックアップテーブル
４２ａ    ディザパターンテーブル
４２ｂ    画像特性補正値テーブル
４２ｃ    ページ内濃度補正値テーブル
４３    画像変換部
４４    画像形成メモリ
【図１】
2007088889.tif 000003
【図２】
2007088889.tif 000004
【図３】
2007088889.tif 000005
【図４】
2007088889.tif 000006
【図５】
2007088889.tif 000007
【図６】
2007088889.tif 000008
【図７】
2007088889.tif 000009
【図８】
2007088889.tif 000010
【図９】
2007088889.tif 000011